(57)【要約】【課題】ノイズの発生を十分に抑制し、撮影した画像の画像品質を向上させることが容易であって、コストの低下を実現する。【解決手段】照明部２１ａや情報表示ディスプレイ２１ｂやクレードル移動部３２などのように、マグネットルームに配置されている電子機器へ、そのマグネットルームに配置されているバッテリ３４が、蓄電している電力を供給することによって、各電子機器を駆動させる。【選択図】図１
2008104760.tif 000002
【特許請求の範囲】
【請求項１】
マグネットルームにおいて、静磁場空間に収容された被検体の撮影領域にＲＦパルスを送信し、前記撮影領域にて生ずる磁気共鳴信号を受信するスキャンを実施する磁気共鳴イメージング装置であって、
前記マグネットルームにおいて配置されている電子機器と、
前記マグネットルームにおいて配置されており、前記電子機器に供給する電力を蓄電するバッテリと
を有する
磁気共鳴イメージング装置。
【請求項２】
前記電子機器は、
前記被検体が載置されるクレードルを移動させるクレードル移動部
を含み、
前記バッテリは、蓄電している電力を前記クレードル移動部に供給する
請求項１に記載の磁気共鳴イメージング装置。
【請求項３】
前記バッテリは、前記クレードル移動部に配置されている
請求項２に記載の磁気共鳴イメージング装置。
【請求項４】
前記マグネットルームにおいて配置されており、電力が供給されることによって前記バッテリを充電するバッテリチャージャと、
前記マグネットルーム以外の空間に配置されており、前記バッテリチャージャへ電力を供給する電力供給部と
を有し、
前記電力供給部は、前記スキャンが実施されている時間以外の時間において、前記バッテリチャージャへ電力を供給し、前記バッテリチャージャに前記バッテリを充電させる
請求項２または３に記載の磁気共鳴イメージング装置。
【請求項５】
前記バッテリチャージャは、前記クレードル移動部に配置されている
請求項４に記載の磁気共鳴イメージング装置。
【請求項６】
前記電子機器は、
前記静磁場空間において前記被検体に照明光を照射する照明部
を含み、
前記バッテリは、蓄電している電力を前記照明部に供給する
請求項１から５のいずれかに記載の磁気共鳴イメージング装置。
【請求項７】
前記スキャンを実施するスキャン部
を含み、
前記照明部は、前記スキャン部に配置されている
請求項６に記載の磁気共鳴イメージング装置。
【請求項８】
前記電子機器は、
情報を表示する情報表示ディスプレイ
を含み、
前記バッテリは、蓄電している電力を前記情報表示ディスプレイに供給する
請求項１から６のいずれかに記載の磁気共鳴イメージング装置。
【請求項９】
前記スキャンを実施するスキャン部
を含み、
前記情報表示ディスプレイは、前記スキャン部に配置されている
請求項８に記載の磁気共鳴イメージング装置。
【発明の詳細な説明】
【技術分野】
【０００１】
本発明は、磁気共鳴イメージング装置に関し、特に、マグネットルームにおいて、静磁場空間に収容された被検体の撮影領域にＲＦパルスを送信し、その撮影領域にて生ずる磁気共鳴信号を受信するスキャンを実施する磁気共鳴イメージング装置に関する。
【背景技術】
【０００２】
磁気共鳴イメージング装置は、電磁波の外部への漏れ及び電磁波の外部からの侵入がシールドされたマグネットルーム内において、静磁場が形成される撮像空間にて被検体の撮影領域にＲＦパルスを送信することにより、その撮影領域におけるプロトンのスピンを核磁気共鳴（ＮＭＲ：Ｎｕｃｌｅａｒ  Ｍａｇｎｅｔｉｃ  Ｒｅｓｏｎａｎｃｅ）現象によって励起させ、その励起されたスピンにより発生する磁気共鳴（ＭＲ）信号を受信する。その後、このスキャンの実施により得られた磁気共鳴信号を、ローデータ（Ｒａｗ  Ｄａｔａ）として、その被検体の撮影領域についてのスライス画像などの画像を画像再構成する。
【０００３】
この磁気共鳴イメージング装置は、被検体が載置されるクレードルを、モータを用いて移動させるクレードル移動部や、静磁場が形成された撮像空間において被検体に照明光を照射する照明部や、オペレータなどに提供する情報を表示画面に表示するディスプレイなどの電子機器を含む（たとえば、特許文献１，特許文献２参照）。
【０００４】
【特許文献１】特開２００３−３０５０１９号公報
【特許文献２】特開２００５−３４４号公報
【発明の開示】
【発明が解決しようとする課題】
【０００５】
これらの電子機器は、マグネットルームに配置されており、マグネットルームの外に設置されている機械室において交流から直流に変換された電力が、スイッチング制御され、ケーブルを介して供給されることによって駆動する。この場合においては、その電力供給のスイッチング制御により、ケーブルなどからスイッチングノイズが放射・伝導されるために、スキャンの実施にて撮影した画像にノイズが発生して画像品質を低下させる場合がある。
【０００６】
このため、このノイズを軽減させるために、ノイズフィルタを用いて、電力を供給している。また、さらに、電磁波の漏れを遮断させるシールドを付与させた電源ケーブルを用いて、電力供給を実施している。
【０００７】
しかしながら、ノイズの発生を十分に抑制することが容易でない場合があり、撮影した画像の画像品質を向上させることが困難な場合があった。
【０００８】
また、上記のように、ノイズフィルタや、シールド付きの電源ケーブルを用いた場合においては、コストを低下させることが困難な場合があった。
【０００９】
したがって、本発明の目的は、ノイズの発生を十分に抑制し、撮影した画像の画像品質を向上させることが容易であって、コストの低下を実現可能な磁気共鳴イメージング装置を提供することにある。
【課題を解決するための手段】
【００１０】
上記目的を達成するため、本発明の磁気共鳴イメージング装置は、マグネットルームにおいて、静磁場空間に収容された被検体の撮影領域にＲＦパルスを送信し、前記撮影領域にて生ずる磁気共鳴信号を受信するスキャンを実施する磁気共鳴イメージング装置であって、前記マグネットルームにおいて配置されている電子機器と、前記マグネットルームにおいて配置されており、前記電子機器に供給する電力を蓄電するバッテリとを有する。
【発明の効果】
【００１１】
本発明によれば、ノイズの発生を十分に抑制し、撮影した画像の画像品質を向上させることが容易であって、コストの低下を実現可能な磁気共鳴イメージング装置を提供することができる。
【発明を実施するための最良の形態】
【００１２】
本発明にかかる実施形態について説明する。
【００１３】
（装置構成）
図１は、本発明にかかる実施形態において、磁気共鳴イメージング装置１の構成を示す構成図である。
【００１４】
図１に示すように、本実施形態の磁気共鳴イメージング装置１は、スキャン部２と、被検体移動部３と、操作コンソール部４とを有する。
【００１５】
ここで、スキャン部２は、水平磁場型のガントリ形状であって、電磁波の外部への漏れ及び電磁波の外部からの侵入がシールドされたマグネットルームに配置されており、図１に示すように、静磁場マグネット部１２と、勾配コイル部１３と、ＲＦコイル部１４と、照明部２１ａと、情報表示ディスプレイ２１ｂと、ＲＦ駆動部２２と、勾配駆動部２３と、データ収集部２４と、コネクタ２５とを有する。そして、静磁場を形成した撮像空間Ｂの内部において、被検体ＳＵの撮影領域のスピンを励起するように被検体ＳＵにＲＦパルスを送信すると共に、そのＲＦパルスが送信された被検体ＳＵに勾配パルスを送信することによって、被検体ＳＵにおいて発生する磁気共鳴信号を得るスキャンを実施する。
【００１６】
被検体移動部３は、スキャン部２が配置されているマグネットルームに配置されており、図１に示すように、クレードル部３１と、クレードル移動部３２と、キャスター３３と、バッテリ３４と、バッテリチャージャ３５と、コネクタ３６とを有し、撮像空間Ｂの内部と外部との間において、クレードル移動部３２がクレードル部３１を移動する。また、これと共に、オペレータなどによって押されることによってキャスター３３が回転し移動される。
【００１７】
操作コンソール部４は、スキャン部２が配置されているマグネットルーム以外の空間に配置されており、制御部４０と、データ処理部４１と、操作部４２と、表示部４３と、記憶部４４と、電力供給部４５とを有しており、スキャン部２と被検体移動部３とを遠隔操作によって駆動させる。
【００１８】
スキャン部２の各構成要素について、順次、説明する。
【００１９】
静磁場マグネット部１２は、たとえば、水平磁場型であって、被検体ＳＵが収容される撮像空間Ｂにおいて被検体移動部３に載置される被検体ＳＵの体軸方向（ｚ方向）に沿うように、超伝導磁石（図示なし）が静磁場を形成する。なお、静磁場マグネット部１２は、水平磁場型の他に、垂直磁場型であって、一対の永久磁石が対面する方向に沿って静磁場を形成する場合であってもよい。
【００２０】
勾配コイル部１３は、静磁場が形成された撮像空間Ｂに勾配磁場を形成し、磁気共鳴信号に空間位置情報を付加する。ここでは、勾配コイル部１３は、ｚ方向とｘ方向とｙ方向との互いに直交する３軸方向に対応するように３系統からなる。これらは、撮像条件に応じて、周波数エンコード方向と位相エンコード方向とスライス選択方向として、それぞれに勾配パルスを送信することによって勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル部１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００２１】
ＲＦコイル部１４は、静磁場マグネット部１２によって静磁場が形成される撮像空間Ｂ内において、電磁波であるＲＦパルスを被検体ＳＵの撮影領域に送信して高周波磁場を形成し、被検体ＳＵのイメージング領域におけるプロトンのスピンを励起する。そして、ＲＦコイル部１４は、その励起された被検体ＳＵの撮影領域内のプロトンから発生する電磁波を磁気共鳴信号として受信する。ここでは、ＲＦコイル部１４は、図１に示すように、第１ＲＦコイル１４ａと、第２ＲＦコイル１４ｂとを有する。ここで、第１ＲＦコイル１４ａは、たとえば、バードゲージ型のボディコイルであり、被検体ＳＵの撮影領域を囲むように配置されており、ＲＦパルスを送信する。一方、第２ＲＦコイル１４ｂは、たとえば、フェーズドアレイコイルであり、被検体ＳＵの撮影領域の表面に沿って複数の表面コイルが配置されており、被検体ＳＵにて生じた磁気共鳴信号を受信する。
【００２２】
照明部２１ａは、撮像空間Ｂに設置されている照明系を含み、制御部４０からの制御信号に基づいて、その照明系が撮像空間Ｂを照明する。この照明系は、たとえば、アクリル樹脂からなる光ファイバーを含むように構成されており、被検体ＳＵが撮像空間Ｂにおいて移動されるｚ方向に沿うように延在している。そして、照明系は、光源からの光が、その光ファイバーに伝達され、その伝達された光で撮像空間Ｂ内を照明する。本実施形態においては、照明部２１ａは、バッテリ３４にて蓄電されている電力が、コネクタ２５を介して、バッテリ３４から供給されることによって、上記のごとく、照明動作を実行する。
【００２３】
情報表示ディスプレイ２１ｂは、制御部４０からの制御信号に基づいて、表示画面に各種情報を表示する。情報表示ディスプレイ２１ｂは、図１に示すように、スキャン部２に設置されており、スキャン情報や被検体情報などの情報を表示して、オペレータなどにその情報を伝達する。本実施形態においては、情報表示ディスプレイ２１ｂは、バッテリ３４にて蓄電されている電力が、コネクタ２５を介して、バッテリ３４から供給されることによって、上記のごとく、情報表示動作を実行する。
【００２４】
ＲＦ駆動部２２は、ＲＦコイル部１４を駆動させて撮像空間Ｂ内にＲＦパルスを送信することによって、高周波磁場を形成する。ＲＦ駆動部２２は、制御部４０からの制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００２５】
勾配駆動部２３は、制御部４０からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００２６】
データ収集部２４は、制御部４０からの制御信号に基づいて、ＲＦコイル部１４が受信する磁気共鳴信号を収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換して出力する。
【００２７】
コネクタ２５は、図１に示すように、被検体移動部３のコネクタ２５に結合され、バッテリ３４にて蓄電された電力を、スキャン部２に配置された照明部２１ａ，情報表示ディスプレイ２１ｂに供給する。
【００２８】
被検体移動部３の各構成要素について、順次、説明する。
【００２９】
クレードル部３１は、被検体ＳＵが載置される載置面を備えたテーブルであり、図１に示すように、クレードル移動部３２によって、水平方向ｘｚと上下方向ｙとのそれぞれの方向に移動され、静磁場が形成される撮像空間Ｂに搬出入される。
【００３０】
クレードル移動部３２は、被検体ＳＵが載置されるクレードル部３１を撮像空間Ｂの内部と外部との間で移動させる。クレードル移動部３２は、たとえば、ローラー式駆動機構（図示なし）を備えており、モータによりローラーを駆動させてクレードル部３１を水平方向ｘｚに移動する。また、クレードル移動部３２は、たとえば、アーム式駆動機構（図示なし）を備えており、交差した２本のアーム間の角度をモータが駆動して可変させることにより、クレードル部３１を上下方向ｙに移動する。
【００３１】
本実施形態においては、クレードル移動部３２には、図１に示すように、バッテリ３４とバッテリチャージャ３５とが配置されており、クレードル移動部３２は、バッテリ３４にて蓄電されている電力がバッテリ３４から供給されることによって、上記のごとく、クレードル部３１を移動させる移動動作を実行する。
【００３２】
キャスター３３は、図１に示すように、クレードル移動部３２の底部に配置されており、被検体移動部３がオペレータなどによって押されることによって、キャスター３３の車輪が回転し、被検体移動部３が移動される。
【００３３】
バッテリ３４は、図１に示すように、マグネットルームにおいてクレードル移動部３２に配置されている。バッテリ３４は、たとえば、鉛蓄電池，電気二重層キャパシタバッテリ，リチウムイオンバッテリ，ニッケル水素バッテリ，ニッカド電池などの２次電池であって、クレードル移動部３２の筐体内に収容されており、各種電子機器に配線ケーブル（図示なし）で接続され、各種電子機器に供給する電力を蓄電する。
【００３４】
本実施形態においては、バッテリ３４は、バッテリ３４にて蓄電している電力をクレードル移動部３２に供給し、クレードル部３１の移動動作を実行させる。また、バッテリ３４は、蓄電している電力を、コネクタ２５，３６を介して、照明部２１ａに供給し、照明動作を実行させる。また、バッテリ３４は、蓄電している電力を、コネクタ２５，３６を介して、情報表示ディスプレイ２１ｂに供給し、情報表示動作を実行させる。そして、バッテリ３４は、図１に示すように、バッテリチャージャ３５に接続されており、そのバッテリチャージャ３５によって充電される。
【００３５】
バッテリチャージャ３５は、図１に示すように、マグネットルームにおいてクレードル移動部３２に配置されており、電力が供給されることによってバッテリ３４を充電する。ここでは、バッテリチャージャ３５は、クレードル移動部３２の筐体内に収容されている。そして、バッテリチャージャ３５は、電源ケーブル（図示なし）がマグネットルームのコンセント（図示なし）に接続されており、後述する操作コンソール部４の電力供給部４５から、その電源ケーブルを介して電力が供給されることによって、バッテリ３４の充電動作を実行する。
【００３６】
コネクタ３６は、図１に示すように、クレードル移動部３２に配置されており、スキャン部２に設置されたコネクタ２５に結合される。そして、その互いに結合されたコネクタ２５，３６を介して、バッテリ３４にて蓄電された電力を、スキャン部２に配置された照明部２１ａ，情報表示ディスプレイ２１ｂに供給する。
【００３７】
操作コンソール部４について説明する。
【００３８】
操作コンソール部４は、スキャン部２が配置されているマグネットルーム以外の空間に配置されており、図１に示すように、制御部４０と、データ処理部４１と、操作部４２と、表示部４３と、記憶部４４と、電力供給部４５とを有する。
【００３９】
制御部４０は、コンピュータと、コンピュータに所定のデータ処理を実行させるプログラムを記憶するメモリとを有しており、各部を制御する。ここでは、制御部４０は、操作部４２からの操作データが入力され、その操作部４２から入力される操作データに基づいて、ＲＦ駆動部２２と勾配駆動部２３とデータ収集部２４とのそれぞれに、制御信号を出力し、スキャンを実行させる。また、本実施形態においては、制御部４０は、上記のスキャンを実施している時間以外の時間において、電力供給部４５がバッテリチャージャ３５へ電力を供給し、バッテリチャージャ３５にバッテリ３４を充電させるように、電力供給部４５の電力供給動作を制御する。
【００４０】
データ処理部４１は、コンピュータと、そのコンピュータを用いて所定のデータ処理を実行するプログラムを記憶するメモリとによって構成されており、制御部４０からの制御信号に基づいて、所定のデータ処理を実施する。たとえば、データ処理部４１は、被検体ＳＵの撮影領域について実施されたスキャンによって得られた磁気共鳴信号を、ローデータとして、その被検体ＳＵの撮影領域についての画像を再構成する。
【００４１】
操作部４２は、キーボードやポインティングデバイスなどの操作デバイスにより構成されている。操作部４２は、オペレータによって操作データが入力され、その操作データを制御部４０に出力する。
【００４２】
表示部４３は、ＣＲＴなどの表示デバイスにより構成されており、制御部４０からの制御信号に基づいて、表示画面に画像を表示する。たとえば、表示部４３は、オペレータによって操作部４２に操作データが入力される入力項目についての画像を表示画面に複数表示する。また、表示部４３は、被検体ＳＵからの磁気共鳴信号に基づいて生成される被検体ＳＵの画像についてのデータをデータ処理部４１から受け、表示画面にその画像を表示する。
【００４３】
記憶部４４は、メモリにより構成されており、各種データを記憶している。記憶部４４は、その記憶されたデータが必要に応じて制御部４０によってアクセスされる。
【００４４】
電力供給部４５は、スイッチング素子を含み、制御部４０からの制御信号に基づいてスイッチング素子がスイッチング制御することによって、バッテリチャージャ３５へ電力を供給する。本実施形態においては、電力供給部４５は、スキャンが実施されている時間以外の時間において、バッテリチャージャ３５へ電力を供給し、そのバッテリチャージャ３５にバッテリ３４を充電させる。
【００４５】
（動作）
以下より、上記の本発明にかかる実施形態の磁気共鳴イメージング装置１において、バッテリ３４を充電させる際の充電動作について説明する。
【００４６】
図２は、本発明にかかる実施形態において、バッテリ３４を充電させる際の充電動作を示すフロー図である。
【００４７】
バッテリ３４を充電させる充電動作を実行する際においては、図２に示すように、スキャンが実施されているか否かを判断する（Ｓ１１）。
【００４８】
ここでは、スキャン部２がスキャンを実施している状態であるか否かを、スキャン部２にスキャンを実施させる制御信号に基づいて制御部４０が判断する。
【００４９】
そして、図２に示すように、スキャン部２がスキャンを実施している状態であると判断した場合（Ｙｅｓ）においては、充電動作を待機状態にする（Ｓ２１）。
【００５０】
ここでは、予め設定された時間に対応するように、制御部４０が充電動作を待機させる。その後、図２に示すように、スキャンが実施されているか否かを判断し（Ｓ１１）、スキャンを実施していない状態になるまで、この動作を繰り返す。
【００５１】
一方で、図２に示すように、スキャン部２がスキャンを実施していない状態であると判断した場合（Ｎｏ）においては、充電動作を実施する（Ｓ３１）。
【００５２】
ここでは、電力供給部４５がバッテリチャージャ３５へ電力を供給し、バッテリチャージャ３５にバッテリ３４を充電させるように、制御部４０が電力供給部４５の電力供給動作を実施する。たとえば、充・放電時の電流値を検知し、その検知した充・放電時の電流値が所定値になるまで、この充電動作を継続して実施する。
【００５３】
以上のように、本実施形態は、照明部２１ａや情報表示ディスプレイ２１ｂやクレードル移動部３２などのように、マグネットルームに配置されている電子機器へ、そのマグネットルームに配置されているバッテリ３４が、蓄電している電力を供給することによって、その各電子機器が駆動する。このため、本実施形態は、バッテリ３４と各電子機器との距離を短くすることが可能であるために、バッテリ３４から各電子機器へ電力を供給する際に用いるケーブルの量を減らすことができる。また、ノイズフィルタの使用を削減することが可能であり、バッテリ３４からの電力供給であるために、スイッチング制御でのノイズ発生を防止することができる。
【００５４】
また、本実施形態においては、スキャン部２によってスキャンが実施されている時間以外の時間において、電力供給部４５がバッテリチャージャ３５へ電力を供給し、そのバッテリチャージャ３５にバッテリ３４を充電させる。このため、本実施形態は、電力供給部のスイッチング制御がスキャンの実施中に実施されないため、スキャン実施中のノイズ源が減ることになる。
【００５５】
したがって、本実施形態は、ノイズの発生を十分に抑制し、撮影した画像の画像品質を向上させることが容易であって、コストの低下を実現できる。
【００５６】
なお、上記の実施形態において、磁気共鳴イメージング装置１は、本発明の磁気共鳴イメージング装置に相当する。また、上記の実施形態において、スキャン部２は、本発明のスキャン部に相当する。また、上記の実施形態において、照明部２１ａは、本発明の照明部に相当する。また、上記の実施形態において、情報表示ディスプレイ２１ｂは、本発明の情報表示ディスプレイに相当する。また、上記の実施形態において、クレードル移動部３２は、本発明のクレードル移動部に相当する。また、上記の実施形態において、バッテリ３４は、本発明のバッテリに相当する。また、上記の実施形態において、バッテリチャージャ３５は、本発明のバッテリチャージャに相当する。また、上記の実施形態において、電力供給部４５は、本発明の電力供給部に相当する。
【００５７】
また、本発明の実施に際しては、上記した実施形態に限定されるものではなく、種々の変形例を採用することができる。
【００５８】
たとえば、本実施形態においては、照明部２１ａや情報表示ディスプレイ２１ｂやクレードル移動部３２などの電子機器に、バッテリ３４が電力を供給する場合について説明したが、これに限定されない。たとえば、被検体ＳＵの心拍信号を検出する心電計などのように、被検体ＳＵの生体信号を計測する電子機器に、バッテリ３４が電力を供給して駆動させる場合に適用してもよい。また、スキャン部２がスキャンを実施する際において、各コイルを駆動させる場合に適用してもよい。
【００５９】
また、本実施形態においては、そのバッテリチャージャ３５にバッテリ３４を充電させる際には、スキャンが実施されている時間以外の時間に電力供給部４５がバッテリチャージャ３５へ電力を供給するように、制御部４０が電力供給部４５を制御する場合について説明したが、これに限定されない。
【００６０】
図３は、本発明にかかる実施形態において、充電動作の変形例を実施する際の様子を示す図である。
【００６１】
図３において矢印で示すように、バッテリ３４を充電させる際においては、互いに結合されている、スキャン部２のコネクタ２５と被検体移動部３のコネクタ３６とを非結合状態にするように、被検体移動部３を押して移動させる。
【００６２】
ここでは、マグネットルームに設置されているコンセント（図示なし）に近づけるように、被検体移動部３を移動させる。そして、そのコンセントに電源ケーブル（図示なし）を接続させて、電力供給部４５からバッテリチャージャ３５へ電力を供給させることによって、バッテリ３４への充電動作を実行する。
【００６３】
また、この他に、被検体移動部３からバッテリ３４を取り外した後、たとえば、マグネットルーム以外の機械室などにおいて充電動作を実行してもよい。
【００６４】
また、本実施形態においては、バッテリ３４とバッテリチャージャ３５とを被検体移動部３に収容する場合について説明したが、これに限定されない。たとえば、マグネットルームにおいて、他の電子機器と独立するように配置してもよい。
【図面の簡単な説明】
【００６５】
【図１】図１は、本発明にかかる実施形態において、磁気共鳴イメージング装置１の構成を示す構成図である。
【図２】図２は、本発明にかかる実施形態において、バッテリ３４を充電させる際の充電動作を示すフロー図である。
【図３】図３は、本発明にかかる実施形態において、充電動作の変形例を実施する際の様子を示す図である。
【符号の説明】
【００６６】
１：磁気共鳴イメージング装置（磁気共鳴イメージング装置）、
２：スキャン部（スキャン部）、
３：被検体移動部、
４：操作コンソール部、
１２：静磁場マグネット部、
１３：勾配コイル部、
１４：ＲＦコイル部、
２１ａ：照明部（照明部）、
２１ｂ：情報表示ディスプレイ（情報表示ディスプレイ）、
２２：ＲＦ駆動部、
２３：勾配駆動部、
２４：データ収集部、
２５：コネクタ、
３１：クレードル部、
３２：クレードル移動部（クレードル移動部）、
３３：キャスター、
３４：バッテリ（バッテリ）、
３５：バッテリチャージャ（バッテリチャージャ）、
３６：コネクタ、
４０：制御部、
４１：データ処理部、
４２：操作部、
４３：表示部、
４４：記憶部、
４５：電力供給部（電力供給部）
【図１】
2008104760.tif 000003
【図２】
2008104760.tif 000004
【図３】
2008104760.tif 000005